(57)【要約】【課題】原稿両面の画像を読取る際の生産性を向上させることができる画像読取り装置及び該装置を備える画像形成装置並びに制御方法の提供。【解決手段】原稿搬送装置を有する画像読取り装置及び該装置を備える画像形成装置において、複写モードを判定して、該複写モードが両面原稿に対する複写処理であると判定された場合には、原稿搬送装置１００の読取りモードを原稿固定読取りモードと原稿流し読取りモードを併用するように制御することを特徴とする。【選択図】　　　　図１
2004101692.tif 000002
【特許請求の範囲】
【請求項１】
原稿搬送装置を有し、該原稿搬送装置から給送された原稿の画像を読取る画像読取り装置であって、
前記原稿搬送装置は両面原稿の両面読取り処理を行う為に、原稿表裏を反転させる原稿反転パスを備えると共に、原稿を原稿台ガラス上に搬送しながら画像を読み込む原稿流し読取りモードと、
前記原稿台ガラス上に原稿を搬送セットしてから、本体の光学系を走査させて画像を読み込む原稿固定読取りモードと、
前記原稿に対する複写モードを設定する設定手段とを有し、
この設定手段により、前記複写モードが両面原稿に対する複写処理であると判定された場合に、原稿搬送装置の読取りモードを、前記原稿流し読取りモードと前記原稿固定読取りモードとを併用するように自動設定する読取りモード制御手段とを備えたことを特徴とする画像読取り装置。
【請求項２】
原稿搬送装置を有し、該原稿搬送装置から給送された原稿の画像を読取る画像読取り装置の制御方法であって、
前記原稿搬送装置は両面原稿の両面読取り処理を行う為に、原稿表裏を反転させる原稿反転パスを備えると共に、原稿を原稿台ガラス上に搬送しながら画像を読み込む原稿流し読取りモードを実行する工程と、
前記原稿台ガラス上に原稿を搬送セットしてから、本体の光学系を走査させて画像を読み込む原稿固定読取りモードを実行する工程と、
前記原稿に対する複写モードを設定する工程と、
この複写モードを設定する工程で、前記複写モードが両面原稿に対する複写処理であると判定された場合に、原稿搬送装置の読取りモードを、前記原稿流し読取りモードと前記原稿固定読取りモードとを併用するように自動設定する読取りモード制御工程とを備えたことを特徴とする制御方法。
【請求項３】
請求項１記載の画像読取り装置を備えることを特徴とする画像形成装置。
【発明の詳細な説明】
【０００１】
【発明の属する技術分野】
本発明は、原稿搬送装置を有する画像読取り装置及び該装置を備える画像形成装置並びに制御方法に関する。
【０００２】
【従来の技術】
近年の原稿搬送装置を備える画像形成装置は、原稿を原稿台ガラス上に載置し、光学系の読取り装置を移動させて画像を読み込む原稿固定読取りモードから、原稿を搬送しながら光学系の読取りを行うことで（光学系固定）、プロダクティビティを向上させ、かつ原稿交換時間を短縮できる原稿流し読取りモードが提案されている。
【０００３】
しかし、両面原稿の読取り時は原稿の表裏反転処理のため用紙の正逆搬送が行われ、原稿流し読取りモードでも生産性の向上が所定以上望めない状況であった。
【０００４】
そのため、原稿流し読取りモードしか備えていない機種はともかく、原稿固定読取りモードと併用が可能な機種においては、両面原稿の読取りモードを原稿固定読取りモードに切り換える等の制御が行なわれている（例えば、特許文献１参照。）。
【０００５】
また、両面原稿の読取り制御の一例として、下記に示されるような原稿搬送装置を有する画像形成装置が提案されている。
【０００６】
即ち、図１０は、従来例における両面原稿の原稿給紙、読取りの順序を示した図であり、３枚の両面原稿から両面読取りのセットを出力する場合である。
【０００７】
同図（Ａ）は原稿搬送装置の原稿トレイにセットされた原稿Ｄ１、Ｄ２、Ｄ３の給送順を示している。図１１、図１２、図１３、および図１４は、従来例における両面読取り時に原稿搬送装置内で行われる原稿の搬送状況を示す図である。
【０００８】
最上紙である原稿Ｄ１は、パス（イ）、（ヘ）、（ニ）、（ト）の順に給送される（図１１（Ａ）参照）。ここで、原稿Ｄ１の表面を「１」で示し、裏面を「２」で示している（以後の原稿についても、同様の表記である。）。
【０００９】
原稿Ｄ１の後端がパス（ヘ）を抜けた後、スイッチバックし、パス（ハ）から原稿台ガラス２０５上に２頁目（原稿Ｄ１の裏面）を下向きにした状態で移動させた後（図１１（Ｂ）参照）、原稿Ｄ１を読取り位置Ｒ１で停止させる（図１２（Ａ）参照）。
【００１０】
原稿Ｄ１が読取り位置Ｒ１に停止した状態で、スキャナユニット２０６（図６参照）が移動して原稿の読取りが完了すると、原稿Ｄ１は、パス（ハ）、（ニ）、（ホ）、（ロ）の順に給送され（図１２（Ｂ）参照）、表裏反転して原稿台ガラス２０５上に１頁目（原稿Ｄ１の表面）を下向きにした状態で停止し、次の読取りが行われる。
【００１１】
この読取り動作中、次原稿Ｄ２は原稿トレイ１０５からパス（イ）、（ヘ）、（ニ）、（ト）の順に給送され、原稿Ｄ２の後端がパス（ヘ）を抜けた所まで給紙されて待機する（図１３（Ａ）参照）。この位置をプリ反転待機位置と呼ぶ。
【００１２】
原稿Ｄ１の表面（第１頁）の読取りが完了すると、原稿Ｄ１を排紙トレイ１０６（図６参照）側に搬送すると同時に、パス（ニ）、（ト）に待機中の原稿Ｄ２を同時に搬送し、原稿Ｄ１と同様に原稿Ｄ２の裏面４頁目を下向きにして原稿台ガラス２０５上に載置する（図１３（Ｂ）参照）。
【００１３】
４頁目の画像の読取りが終了すると、原稿Ｄ１の場合と同様、原稿Ｄ２の反転処理が始まる。このとき、原稿Ｄ２の搬送と同時に先行原稿Ｄ１はパス（ハ）の方向に搬送されるが、原稿間隔Ｌを適切な値に設定しているため、依然として原稿台ガラス２０５上に留まっている。
【００１４】
原稿Ｄ２の反転が終了して原稿Ｄ２の表面３頁目の画像読取りが開始されると、後続原稿Ｄ３をプリ反転待機位置に待機させ（図１４（Ａ）参照）、３頁目の画像読取りの終了を待って原稿Ｄ２の排紙トレイ１０６側への搬送と、原稿Ｄ３の給送を同時に行う（図１４（Ｂ）参照）。このとき、先行原稿Ｄ１は排紙トレイ１０６上に排紙される。上記動作を繰り返すことにより原稿搬送装置の読取りの生産性向上を図っている（例えば、特許文献２参照。）。
【００１５】
【特許文献１】
特開平０７−１１０６４１号公報
【００１６】
【特許文献２】
特開２０００−１８４１５５公報　（第５頁、図４〜８）
【００１７】
【発明が解決しようとする課題】
しかしながら、上記従来例の原稿搬送装置を有する画像形成装置では、以下に掲げる問題があり、その改善が要望されていた。
【００１８】
先行原稿の表面（１頁、３頁、５頁）の読取り動作中に後続原稿を原稿トレイ１０５からパス（イ）、（ヘ）、（ニ）、（ト）の順に給送し、プリ反転待機位置で待機させているが、原稿が固定されて原稿台ガラス上で読取られているため、待機原稿を給紙することができず、その待機時間が原稿読取りの生産性を落としてしまうという欠点があった。
【００１９】
さらに、画像の読取りが全て原稿固定読取りモードなので、原稿の表面（１頁、３頁、５頁）の読取り終了後に再度光学系を読取り位置に移動させなければならないため、その間に後続原稿を読取り位置に到達させても読取りが行えず、読取りの生産性を落としてしまうという欠点があった。
【００２０】
本発明は、上記の問題点を解消するために成されたもので、原稿の流し読取りモードと原稿固定読取りモードの両方の読取りモードを備え、さらに両面原稿の扱える原稿搬送装置を有する画像読取り装置及び該装置を備える画像形成装置において、設定される複写モードを判定して、該複写モードが両面原稿に対する複写処理であると判定された場合には、原稿搬送装置の読取りモードを前記原稿流し読取りモードと前記原稿固定読取りモードを併用した読取りモードに自動設定することにより、設定された複写モードに対して、最適な原稿搬送モードを設定して読取りの際の生産性を向上させることの出来る画像読取り装置及び該装置を備える画像形成装置並びに制御方法を提供することを目的とする。
【００２１】
【課題を解決するための手段】
本発明は、下記構成を備えることにより上記課題を解決できるものである。
【００２２】
（１）原稿搬送装置を有し、該原稿搬送装置から給送された原稿の画像を読取る画像読取り装置であって、
前記原稿搬送装置は両面原稿の両面読取り処理を行う為に、原稿表裏を反転させる原稿反転パスを備えると共に、原稿を原稿台ガラス上に搬送しながら画像を読み込む原稿流し読取りモードと、
前記原稿台ガラス上に原稿を搬送セットしてから、本体の光学系を走査させて画像を読み込む原稿固定読取りモードと、
前記原稿に対する複写モードを設定する設定手段とを有し、
この設定手段により、前記複写モードが両面原稿に対する複写処理であると判定された場合に、原稿搬送装置の読取りモードを、前記原稿流し読取りモードと前記原稿固定読取りモードとを併用するように自動設定する読取りモード制御手段とを備えた画像読取り装置。
【００２３】
（２）原稿搬送装置を有し、該原稿搬送装置から給送された原稿の画像を読取る画像読取り装置の制御方法であって、
前記原稿搬送装置は両面原稿の両面読取り処理を行う為に、原稿表裏を反転させる原稿反転パスを備えると共に、原稿を原稿台ガラス上に搬送しながら画像を読み込む原稿流し読取りモードを実行する工程と、
前記原稿台ガラス上に原稿を搬送セットしてから、本体の光学系を走査させて画像を読み込む原稿固定読取りモードを実行する工程と、
前記原稿に対する複写モードを設定する工程と、
この複写モードを設定する工程で、前記複写モードが両面原稿に対する複写処理であると判定された場合に、原稿搬送装置の読取りモードを、前記原稿流し読取りモードと前記原稿固定読取りモードとを併用するように自動設定する読取りモード制御工程とを備えた画像読取り装置の制御方法。
【００２４】
（３）前項（１）記載の画像読取り装置を備える画像形成装置。
【００２５】
【発明の実施の形態】
本発明に係る画像読取り装置及び該装置を備える画像形成装置並びに制御方法の実施の形態について説明する。
【００２６】
図６は、画像形成装置全体の構成を示す模式的断面図である。
【００２７】
画像形成装置は、イメージリーダ２００およびプリンタ部３００からなる画像形成装置本体、折り装置５００およびフィニッシャ６００から構成される。イメージリーダ２００の上部には、原稿搬送装置１００が装着されている。
【００２８】
原稿搬送装置１００は、原稿トレイ１０５上にセットされた原稿を先頭頁から順に１枚ずつ給紙し、湾曲したパスを介して原稿台ガラス２０５へ搬送する。原稿を読取る方法は、原稿台ガラス上２０５の読取り位置Ｒ１へ原稿の後端を搬送、停止させ、スキャナユニット２０６を、図中、左から右へ移動させることにより、原稿の読取りを行う原稿固定読取りモードと、原稿を読取り速度で読取り位置Ｒ１へ搬送し、スキャナユニット２０６を読取り位置Ｒ１に固定したまま原稿の読取りを行う原稿流し読取りモードがある。その後、読取った原稿を排紙トレイ１０６に排出する。
【００２９】
レンズ２０７を介してイメージセンサ２０８により読取られた原稿の画像は、画像処理されてハードディスク４１３（図８参照）に格納されるとともにプリンタ制御部３０１（図７参照）を介して露光制御部３０５に送られる。露光制御部３０５は、画像信号に応じたレーザ光を出力する。このレーザ光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【００３０】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ部３００から排出することが可能である。これを反転排紙という。
【００３１】
このように、フェイスダウンで排出することにより、原稿搬送装置１００を用いて外部コンピュータから出力された画像をプリントする場合など、先頭頁から正しい頁順で画像形成を行うことが可能である。
【００３２】
尚、手差し給紙部３１０からＯＨＰシートなどの、例えば、硬いシートに画像形成を行う場合、パス３１５に導くことなく、現像剤が転写された面を上向きの状態（フェイスアップ）のままで排出ローラ３１７から排出する。
【００３３】
また、シートの両面に画像形成を行う場合、シートを定着部３１３からパス３１５、パス３１４に導き、シートの後端がパス３１５を抜けた直後に、シートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００３４】
このように、転写部３１２から両面搬送パス３１１を経由して再び転写部３１２に戻る一巡のパスの中に、Ａ４、Ｂ５等のハーフサイズ用紙が、例えば５枚入った状態でも搬送可能なように、パス長、ローラ配置、駆動系の分割がなされている。尚、これらの処理による排出頁順は、奇数頁が下向きになるように排出されるので、両面読取り時の頁順を合わせることができる。
【００３５】
排出ローラ３１７から排出されたシートは折り装置５００に送り込まれる。折り装置５００は、シートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
【００３６】
図７は、画像読取り装置及び該装置を備える画像形成装置の制御部の構成を示すブロック図である。装置全体を制御する制御部はＣＰＵ回路部４００を中心に構成されている。ＣＰＵ回路部４００には、ＣＰＵ４０１、ＲＯＭ４０２、ＲＡＭ４０３などが設けられている。
【００３７】
ＣＰＵ回路部４００は、ＣＰＵ４０１によって実行されるＲＯＭ４０２に格納されたプログラム、および操作部１０２の設定に基づいて、原稿搬送装置１００を制御する原稿搬送装置制御部１０１、イメージリーダ２００を制御するイメージリーダ制御部２０１、画像信号制御部４０５、プリンタ部３００を制御するプリンタ制御部３０１、折り装置５００を制御する折り装置制御部５０１、フィニッシャ６００を制御するフィニッシャ制御部６０１および外部インタフェース（Ｉ／Ｆ）４０６の制御を司る。
【００３８】
ＲＡＭ４０３は、制御データを一時的に保持する領域、制御に伴う演算の作業領域として用いられる。外部Ｉ／Ｆ４０６は、外部コンピュータ４０７とのインタフェースであり、外部コンピュータ４０７からのプリントデータを画像に展開して画像信号制御部４０５に出力する。
【００３９】
イメージリーダ制御部２０１は、イメージセンサ２０８で読取られた画像を画像信号制御部４０５に出力し、画像信号制御部４０５からプリンタ制御部３０１に出力された画像データは露光制御部３０５に入力される。
【００４０】
図８は、画像信号制御部４０５の構成を示すブロック図である。画像信号制御部４０５は、画像処理部４１０、ラインメモリ４１１、ページメモリ４１２およびハードディスク４１３を有する。画像処理部４１０では、画像の補正処理や操作部１０２での設定に応じた編集処理を行う。ラインメモリ４１１では、主走査方向に画像を入れ替える鏡像処理等を行う。ラインメモリ４１１の画像は、ページメモリ４１２を介してプリンタ制御部３０１に出力される。また、ハードディスク４１３は後述するように印刷するページの順序を入れ替えるときなど必要に応じて用いられ、ページメモリ４１２の画像が格納される。
【００４１】
［両面原稿読取り手順］図９、および図１〜図５を参照して、本発明に係る画像読取り装置の制御における、両面原稿の読取り動作を説明する。
【００４２】
図９は、操作部１０２の複写モード選択を示す図である。同図（Ａ）において操作部での複写モードが両面に設定されると、同図（Ｂ）の画面になり、更に両面原稿からの処理による片面、あるいは両面の読取り処理が設定されると、原稿搬送装置１００は、原稿搬送装置制御部１０１によって下記制御で動作する。
【００４３】
図１は、本発明に係る画像読取り装置の制御工程を示すフローチャートである。
【００４４】
図２から図５は、本発明に係る両面読取り時に原稿搬送装置内で行われる原稿の搬送状況を示す図である。
【００４５】
図１のフローチャートを基に、図２から図５を参照して工程を説明する。
【００４６】
始めに、最上紙である原稿Ｄ１は、パス（イ）、（ヘ）、（ニ）、（ト）の順に給送される（Ｓ１、Ｓ２、図２（Ａ）参照）。原稿Ｄ１の後端がパス（ヘ）を抜けた後（Ｓ３）、スイッチバックし（Ｓ４）、パス（ハ）から原稿台ガラス２０５上に２頁目（原稿Ｄ１の裏面）を下向きの状態で搬送し（Ｓ５、図２（Ｂ）参照）、原稿Ｄ１の後端が読取り位置Ｒ１に達した位置で停止させる（Ｓ６、Ｓ７、図３（Ａ）参照）。
【００４７】
原稿Ｄ１が読取り位置Ｒ１に停止した状態で、スキャナユニット２０６が移動して原稿の固定読取りが完了する（Ｓ８、原稿固定読取りモード）。次に原稿Ｄ１は、パス（ハ）、（ニ）、（ホ）、（ロ）の順に給送され（Ｓ９、図３（Ｂ）参照）、表裏反転して原稿台ガラス２０５へ１頁目（原稿Ｄ１の表面）を下向きにした状態で搬送する。同時に、スキャナユニット２０６は、読取り位置Ｒ１へ移動する。読取り位置Ｒ１へ原稿Ｄ１の表面の先端が搬送され、そのまま原稿流し読取りが行われる（原稿流し読取りモード）（Ｓ１０、図４（Ａ）参照）。
【００４８】
この原稿流し読取り動作中の原稿Ｄ１の後端がパス（ロ）に到達したとき、次原稿Ｄ２は原稿トレイ１０５からパス（イ）、（ヘ）、（ニ）、（ト）の順に給送され、原稿Ｄ２の後端がパス（ヘ）を抜けた所まで給紙する（Ｓ１１、図４（Ｂ）参照）。この位置を、反転位置とする。
【００４９】
原稿Ｄ２の後端がパス（ヘ）を抜けた所まで給紙されると、すぐにスイッチバックし、原稿Ｄ１の流し読取り速度と等速で搬送される（Ｓ１２）。原稿Ｄ１の表面の流し読取りが完了したと同時に高速搬送され、原稿Ｄ１と同様に４頁目（裏面）を下向きにして原稿台ガラス２０５上に搬送載置し、原稿固定読取りを行う（原稿固定読取りモード）（Ｓ１３、図５（Ａ）参照）。
【００５０】
原稿Ｄ２の裏面４頁目の画像の原稿固定読取りが終了すると、原稿Ｄ１の場合と同様、原稿Ｄ２の反転処理が始まる。このとき、原稿Ｄ２の搬送と同時に先行原稿Ｄ１はパス（ハ）の方向に搬送され（Ｓ１４）、且つ原稿間隔Ｌが適切になるように制御されているため、依然として原稿台ガラス２０５上に留まっている。
【００５１】
原稿Ｄ２の反転が終了して、原稿Ｄ２の表面３頁目の流し読取り中に、次原稿Ｄ３は原稿トレイ１０５からパス（イ）、（ヘ）、（ニ）、（ト）の順に給送され（Ｓ１５）、後続原稿Ｄ３の後端がパス（ヘ）を抜けた所まで給紙されると、すぐにスイッチバックし、原稿Ｄ２の排紙トレイ１０６側への搬送と原稿Ｄ３の給送を同時に行う。このとき、先行原稿Ｄ１は排紙トレイ１０６上に排紙される（Ｓ１６、図５（Ｂ）参照）。
【００５２】
以上の処理を繰り返すことで、両面原稿の読取りが継続される。
【００５３】
尚、本実施例においては、原稿流し読取りモードによる画像読取り位置（Ｒ１）と、原稿固定読取りモードによる画像読取り開始位置を同一として説明したが、原稿流し読取りモードによる画像読取り位置を原稿台中央付近等に設定するなど、必ずしも同一位置に設定する必要はない。
【００５４】
また、紙サイズ等の条件により読取り位置をそれぞれ変更しても問題はない。
【００５５】
【発明の効果】
以上説明したように、先行原稿の表面の流し読取り中の後端がパス（ロ）に到達した時点で、後続の原稿を反転位置に給送されると、待機することなく直ぐに読取り位置へ搬送することが可能なため、原稿の読取り操作の生産性を向上することができる。
【００５６】
また、原稿の表面を流し読取り動作にすることにより、光学系の往復動作を軽減することが可能であり、更に原稿の読取り生産性の向上が可能となる。
【図面の簡単な説明】
【図１】本発明に係る画像読取り装置の制御工程を示すフローチャート
【図２】本発明に係る両面読取り時に原稿搬送装置内で行われる原稿の搬送状況を示す図
【図３】本発明に係る両面読取り時に原稿搬送装置内で行われる原稿の搬送状況を示す図
【図４】本発明に係る両面読取り時に原稿搬送装置内で行われる原稿の搬送状況を示す図
【図５】本発明に係る両面読取り時に原稿搬送装置内で行われる原稿の搬送状況を示す図
【図６】画像形成装置全体の構成を示す模式的断面図
【図７】画像読取り装置及び該装置を備える画像形成装置の制御部の構成を示すブロック図
【図８】画像信号制御部４０５の構成を示すブロック図
【図９】画像形成装置の操作部の複写モード選択を示す図
【図１０】従来例における両面原稿の原稿給紙、読取りの順序を示す図
【図１１】従来例における両面読取り時に原稿搬送装置内で行われる原稿の搬送状況を示す図
【図１２】従来例における両面読取り時に原稿搬送装置内で行われる原稿の搬送状況を示す図
【図１３】従来例における両面読取り時に原稿搬送装置内で行われる原稿の搬送状況を示す図
【図１４】従来例における両面読取り時に原稿搬送装置内で行われる原稿の搬送状況を示す図
【符号の説明】
Ｄ１，Ｄ２，Ｄ３　原稿
イ、ロ、ハ、ニ、ホ、ヘ、ト　原稿搬送パス
Ｒ１　画像読取り位置
１００　原稿搬送装置
１０１　原稿搬送装置制御部
１０２　操作部
１０５　原稿トレイ
１０６　排紙トレイ
２００　イメージリーダ
２０１　イメージリーダ制御部
２０５　原稿台ガラス
２０６　スキャナユニット
２０７　レンズ
２０８　イメージセンサ
３００　プリンタ部
３０１　プリンタ制御部
４００　ＣＰＵ回路部
４０１　ＣＰＵ
４０２　ＲＯＭ
４０３　ＲＡＭ
４０５　画像信号制御部
４０６　外部Ｉ／Ｆ
４１０　画像処理部
４１１　ラインメモリ
４１２　ページメモリ
４１３　ハードディスク
５００　折り装置
５０１　折り装置制御部
６００　フィニッシャ
６０１　フィニッシャ制御部
７００　インサータ
【図１】
2004101692.tif 000003
【図２】
2004101692.tif 000004
【図３】
2004101692.tif 000005
【図４】
2004101692.tif 000006
【図５】
2004101692.tif 000007
【図６】
2004101692.tif 000008
【図７】
2004101692.tif 000009
【図８】
2004101692.tif 000010
【図９】
2004101692.tif 000011
【図１０】
2004101692.tif 000012
【図１１】
2004101692.tif 000013
【図１２】
2004101692.tif 000014
【図１３】
2004101692.tif 000015
【図１４】
2004101692.tif 000016